(57)【要約】  第１の継ぎ手部材及び第２の継ぎ手部材を含む継ぎ手と、前記第１の継ぎ手部材を規定する胴体と、この胴体に対して自由に調整可能であるように、前記第２の継ぎ手部材に接続されている接続プレートと、前記胴体に装着されたロック手段と、前記第１の継ぎ手部材に対して所望の位置に第２の継ぎ手部材をロックするように、前記締め付け部材が第２の継ぎ手部材から離れている第１の非作動位置と、前記締め付け手段が第２の継ぎ手部材と当接されている第２の作動位置との間を選択的に移動され得る締め付け部材と、前記胴体に装着され、前記第１の継ぎ手部材に対して前記第２の継ぎ手部材の摺動を調節するように、前記第２の継ぎ手部材と当接して位置されているスライドを含む調節可能な摩擦手段とを具備する、光学機器もしくはビデオ／写真機器のための調節可能な支持ヘッドである。前記摩擦手段は、前記第１の非作動位置と第２の作動位置との間の前記締め付け部材の移動を用いて調節されるように、前記締め付け部材とスライドとの間に置かれている弾性手段を有する。
2010529509.tif 000002
【特許請求の範囲】
【請求項１】
第１の継ぎ手部材（３）及び第２の継ぎ手部材（１８）を有する継ぎ手（５）と、
前記第１の継ぎ手部材を規定している胴体（３）と、
この胴体に対して自由に調整可能であるように、前記第２の継ぎ手部材に接続されている、光学機器もしくはビデオ／写真機器のための接続プレート（４）と、
前記胴体に装着され締め付け部材（２６）を有するロック手段（２５）であり、この締め付け部材（２６）は、前記第１の継ぎ手部材に対して所望の位置に第２の継ぎ手部材をロックするように、前記締め付け部材が前記第２の継ぎ手部材から離れている第１の非作動位置と、前記締め付け手段が前記第２の継ぎ手部材と当接されている第２の作動位置との間を、選択的に移動され得る、ロック手段（２５）と、
前記胴体（３）に装着され、前記第１の継ぎ手部材に対する前記第２の継ぎ手部材の摺動を調節するように、前記第２の継ぎ手部材（１８）と当接されて位置されている少なくとも１つのスライド（３６）を有する調節可能な摩擦手段（３５）とを具備する、
光学機器もしくはビデオ／写真機器のための調節可能な支持ヘッド（１）において、
前記摩擦手段は、前記第１の非作動位置と第２の作動位置との間の前記締め付け部材の移動により前記摩擦手段を調節するように、前記締め付け部材（２６）と、前記少なくとも１つのスライド（３６）との間に設けられた弾性手段（３７）を有することを特徴とする支持ヘッド。  
【請求項２】
前記継ぎ手は、ボール型の継ぎ手であり、前記第１の継ぎ手部材（３）は、前記第２の継ぎ手部材を形成している球形のボール部材（１８）を収容するための球形のシート（１７）を有する、請求項１に記載の支持ヘッド。
【請求項３】
前記弾性手段とスライドとは、前記締め付け部材内に収容されて、案内される、請求項１または２に記載の支持ヘッド。
【請求項４】
前記締め付け部材は、両端部のうち前記第２の接続部材に近接する端部に、前記弾性手段とスライドとが収容されて案内されるカップ型構造体（２７）を有する、請求項３に記載の支持ヘッド。
【請求項５】
前記スライドは、低い摩擦係数を有する材料から形成されている、請求項１乃至４のいずれか１に記載の支持ヘッド。
【請求項６】
前記スライドは、ＰＴＦＥをベースとした、もしくは、ＰＴＦＥを含んだポリマー材料から形成されている、請求項５に記載の支持ヘッド。
【請求項７】
前記締め付け部材は、前記第２の接続部材と当接している少なくとも一面が、アルミニウムから形成されている、請求項１乃至６のいずれか１に記載の支持ヘッド。
【請求項８】
前記締め付け部材（２６）は、前記胴体に、胴体に対して自由に回転できるように装着されているノブ（３０）内で、相対的な軸方向の移動が可能であるように係合されており、前記ノブを回転させることによって、この締め付け部材を前記第１並びに第２の位置間で移動させる、請求項１乃至７のいずれか１に記載の支持ヘッド。
【請求項９】
前記第１の非作動位置を規定するように、前記締め付け部材と当接可能な当接部材（４１）を有し、この締め付け部材の移動を制限する手段（４）を具備する、請求項１乃至８のいずれか１に記載の支持ヘッド。
【請求項１０】
前記当接部材（４１）は、前記第２の継ぎ手部材と当接である前記締め付け部材（２６）のカップ型構造体（２７）に類似した形状を有し、このカップ型構造体は、前記第１並びに第２の位置間を移動する間に、前記当接部材内に収容されて案内される、請求項９に記載の支持ヘッド。
【請求項１１】
前記当接部材は、前記締め付け部材の制御ピン（２８）が貫通し、前記第１並びに第２の位置との間で前記カップ型構造体（２７）を移動可能にする孔（４３）を有する、請求項１０に記載の支持ヘッド。
【請求項１２】
前記制御ピンは、前記ノブの回転が前記第１並びに第２の位置によって規定された方向の前記制御ピンの移動に対応するように、前記孔にねじによって係合され、且つ前記ノブに係合される、請求項８または１１に記載の支持ヘッド。
【請求項１３】
前記第１並びに第２の位置によって規定された方向の前記当接部材の位置は、調整可能である、請求項９乃至１１のいずれか１に記載の支持ヘッド。
【請求項１４】
前記当接部材の位置は、前記第１の継ぎ手部材にねじによって係合されたリングナット（４４）により、移動可能である、請求項１３に記載の支持ヘッド。
【請求項１５】
前記リングナットは、比較的自由な回転が可能であるように、前記ノブに留められている、請求項１４に記載の支持ヘッド。
【請求項１６】
前記当接部材は、前記第１の継ぎ手部材に対して固定されており、前記移動制限手段は、前記第１並びに第２の位置間の所望の位置で、前記制御ピン（２８）と当接するように、前記ノブに係合し、このノブに対して移動可能な停止ピン（１０４）を有する、請求項９乃至１２のいずれか１に記載の支持ヘッド。
【請求項１７】
前記停止ピンは、前記第１の位置及び第２の位置によって規定された方向で前記ノブにねじによって係合されている、請求項１６に記載の支持ヘッド。  
【発明の詳細な説明】
【技術分野】
【０００１】
本発明は、主請求項の、特徴項の前段の項に記載されている特徴を有する光学機器もしくはビデオ／写真機器のための調節可能支持ヘッドに関わる。
【背景技術】
【０００２】
前述の形式の調整可能支持ヘッドは、代表的に、１つ以上の予め選択された空間位置で、光学機器もしくはビデオ／写真機器を支持するために、スタンド、三脚、もしくは、当技術分野で知られている他の支持部材に接続して使用される。
【０００３】
代表的に、これらヘッドには、ヘッドが固定される支持部に対して、ヘッドによって支持される機器の相互位置を変えるために、少なくとも１つの関節継ぎ手、例えば球形もしくは円筒形の関節継ぎ手が、設けられている。
【０００４】
一般に、従来の支持ヘッドには、継ぎ手を所望の位置にロックするために、また、機器が再び位置決めされるようこの継ぎ手を解放するために、選択的に駆動され得る空間的ロック手段が、備えられている。
【０００５】
最も一般的な形態の１つでは、ロック手段は、ピン部材を有しており、このピン部材は、継ぎ手部材の１つにねじによって係合され、他の継ぎ手部材に対して移動可能であり、かくして、ピン部材に生じる摩擦によって相対的な移動をロックする。
【０００６】
しかしながらこの形式のヘッドは、前記ロック手段が解放されると、機器の支持部に対する移動が完全に自由になるために、１つの深刻な制限を有している。特に、ボール部材を有しているヘッドの場合、このことは、継ぎ手で支持されている機器が好ましくない突然のバランス崩れの原因となり得、結果として機器と支持装置全体が落下してダメージを受ける危険性を伴う。
【０００７】
ヘッドを解放するための操作は、片方の手がロック手段を操作し、もう一方の手が機器を適切に支持するために、かくして両手を用いて行われなければならない。
【０００８】
この欠点を克服するために、支持ヘッドが、出願人によって発明されており、この指示ヘッドは、継ぎ手間の摩擦の最小レベルを常に維持するために設けられる摩擦手段を具備しており、かくして、ロック手段を解放する際の、突然の予期しない移動を防ぐ。この摩擦手段は、通例、少なくとも１つのスライドを有しており、前記スライドは、適切な部材から形成され、第１の継ぎ手部材に装着され、第２の継ぎ手部材の表面に接するように設けられる。    
前記継ぎ手部材間に必要とされる摩擦の最大レベルは、支持される機器の重量と大きさとに明らかに左右され、従って、スライドが前記第２の継ぎ手部材に接するように設けられるための力は、ロック手段の制御ノブもしくはレバーとは別の全く異なるノブもしくは制御レバーによって、調整可能である。
【０００９】
しかしながら、このことは、好ましくないことに、支持ヘッドの形状と、ディメンションと、内部のメカニズムとの複雑さを伴う。
【発明の概要】
【００１０】
本発明の核心にある問題は、従来技術を参照した前述の限界を克服するよう構造的に作用的に形成される光学もしくはビデオ／写真機器の調整可能な支持ヘッドを作ることである。
【００１１】
この問題は、下記の請求項に従って形成される調整可能な支持ヘッドを用いた本発明によって、解決される。
【図面の簡単な説明】
【００１２】
【図１】図１は、本発明に従って構成された光学機器もしくはビデオ／写真機器のための調節可能支持ヘッドの第1の実施形態の全体の斜視図である。
【図２】図２は、図１に示された支持ヘッドの正面図である。
【図３】図３は、図１に示された支持ヘッドの側面図である。
【図４】図４は、図３のラインＩＶ−ＩＶに沿った拡大断面図である。
【図５】図５は、図２のラインＶ−Ｖに沿った拡大断面図である。
【図６】図６は、本発明に従って構成された光学機器もしくはビデオ／写真機器のための調節可能支持ヘッドの第２の実施形態の全体の斜視図である。
【図７】図７は、図６に示された支持ヘッドの断面図である。
【図８】図８は、本発明に従って構成された光学機器もしくはビデオ／写真機器のための調節可能支持ヘッドの第３の実施形態の全体の斜視図である。
【図９】図９は、図８に示された支持ヘッドの断面図である。
【発明を実施するための形態】
【００１３】
本発明の他の特徴及び効果は、非制限的な例によって添付の図に示される好ましい実施形態の、以下の詳しい説明によって明らかになる。  
最初に図１乃至図５を参照すると、1は、本発明に従って構成された光学機器もしくはビデオ／写真機器のための調節可能な支持ヘッドの全体である。
【００１４】
ヘッド１は、ベース２と、このベース２上で回転するようにベース２に接続された胴体３と、関節継ぎ手５によってこの胴体３に接続された取り付けプレート４とを有している。
【００１５】
前記ベース２は、スタンドもしくは三脚のような、図には示されていない従来の支持部材上にこのヘッド１を置くために、ほぼ平坦な面６を有している。また、ねじ穴７が、前記面６に開いており、前記支持部材の頂部に配置された対応するねじ付きピンとの係合を可能にし、かくして、前記支持部材とヘッド１とを固く接続させる。このねじ穴７の縦軸Ｘが、前記ベース２の対称軸と一致し、前記接触面６に直交している。
【００１６】
前記接触面６の反対側には、環状の溝８が設けられており、この溝８中に、前記胴体３の脚部９が、スライド係合で、収容されている。
【００１７】
プレート１０が、前記脚部９を溝８中に保持するために、ねじ１１によって前記ベース２に取り外し可能に取着される。この結果、前記胴体３は、前記ベース２に取着され、前記縦軸Ｘを中心として自由に回転可能である。低い摩擦係数を有する材料から形成されたワッシャ１２が、前記脚部９が容易に摺動できるように、前記溝の底部に位置されている。
【００１８】
また、停止手段１３が、前記胴体３を前記ベース２に対して所望の角度位置でロックするように、この胴体３に装着されている。この停止手段１３は、本分野で知られているいかなる形式のものでもよく、この特別な場合では、ねじ付きピン１４から成っている。このねじ付きピン１４は、ノブ１５によって、前記プレート１０に接離する方向へ選択的に移動可能である。このノブ１５は、好ましくはヘッド１４ａと螺合されており、ばね１５ａの作用に抗して、必要に応じてこのノブ１５の角度を変更可能にすることができる。
【００１９】
前記胴体３を前記ベース２に対して所定の角度位置にさらに容易に調節するために、前記ベース２の外面には、好ましくは、目盛のついたスケール１６が付されている。
【００２０】
一般に、前記胴体３は、前記接続プレート４が、ステム（stem）１９によって一体的に接続されている球形のボール部材１８のためのハウジングを形成するように、キャビティ１７を内側に有する殻のような形状である。
【００２１】
内側に前記キャビティ１７を有する前記胴体３と、前記ボール部材１８とは、前記継ぎ手５の第１の継ぎ手部材と第２の継ぎ手部材とをそれぞれ構成している。この継ぎ手５は、ここに記載されている好ましい例では、球状形式である。前記継ぎ手５は、同様の、異なる形式、例えば円筒形の継ぎ手であり得ることが判っている。
【００２２】
前記接続プレート４は、前記胴体３のベース２とは反対側に形成され前記ステム１９が通っている開口部２０によって規定される制限の範囲内で、前記胴体３に対して自由に調節可能である。
【００２３】
また、前記接続プレート４は、図示されていない光学機器もしくはビデオ／写真機器のヘッドへの接続のための公知の接続部２１を有する。
【００２４】
この実施形態に示されている接続部２１は、前記接続プレート４上に開いている孔２３中にねじによって係合され、前記ステム１９に沿って軸方向に、また、前記ボール部材１８を通って径方向に延びているピン２２を有している。このピン２２は、ナット２４によって所定位置に保持されており、支持される光学機器もしくはビデオ／写真機器の対応するねじ穴に係合することができるねじヘッド２２ａを有している。
【００２５】
また、ヘッド１は、ロック手段２５を有している。このロック手段２５は、前記ボール部材１８が前記キャビティ１７内で自由に摺動するのを防いで、前記胴体３と前記接続プレート４との間の相互位置をロックするように構成されている。
【００２６】
このロック手段２５は、締め付け（clamping）部材２６を有している。この締め付け部材２６は、締め付け部材２６が前記ボール部材１８から離れている第１の非作動位置と、前記胴体３に対してボール部材１８をロックするように締め付け部材２６が前記ボール部材１８の表面を締め付けている第２の作動位置との間を、前記ボール部材１８に対して径方向である方向Ｙに、選択的に移動可能である。  
この締め付け部材２６の方向Ｙの移動は、ノブ３０によって制御される。
【００２７】
この締め付け部材２６は、好ましくは、前記ボール部材１８に当接するように形成されたカップ型構造体２７と、前記ボール部材１８の反対側でこのカップ型構造体２７に当接している制御ピン２８とを有している。
【００２８】
前記カップ型構造体２７は、前記ボール部材１８の方に面している凹面を有しており、前記ボール部材１８に当接するように形成されているこのカップ型構造体２７の自由端は、ボール部材１８の球形の表面に一致する形状を有している。  
好ましくは、前記継ぎ手５をしっかりとロックするために、前記カップ型構造体２７は、アルミニウムのような金属材料によって形成されている。
【００２９】
前記制御ピン２８は、多角形断面のヘッド２９に装着されている。このヘッド２９は、前記ノブ３０に形成されており、同じ断面を有するシート３１に係合されている。また、このヘッド２９は、制限された軸方向の移動が可能であるように、ねじ３２によって支持されている。また、補強プレート３３が、前記制御ピン２８と前記カップ型構造体２７との間に設けられている。
【００３０】
さらに、ヘッド１は、前記締め付け部材２６が前記ボール部材１８から離れた位置にある時に、このボール部材１８が前記胴体３に対して摺動するのを阻止することができる調整可能な摩擦手段３５を有している。この摩擦手段３５は、皿ばねワッシャ（Belleville washer）３７のような弾性手段の作用によって前記ボール部材１８の球形の面に対して付勢されているリング形状のスライド３６を有している。
【００３１】
本発明の第１の形態に従えば、前記皿ばねワッシャ３７は、前記スライド３６と締め付け部材２６との間に設けられている。この結果、前記スライド３６によって前記ボール部材１８に働く制動作用の強度が、前記締め付け部材２６を前記第１の非作動位置と第２の作動位置との間で移動させることによって調節される。
【００３２】
特に、そして、好ましくは、前記皿ばねワッシャ３７とスライド３６とは、前記締め付け部材２６のカップ型構造体２７内に収容されている。
【００３３】
好ましくは、前記スライド３６は、ポリテトラフルオリエチレン（ＰＴＦＥ）を基礎とした材料、もしくは、ＰＴＦＥを含んだ材料のように、低い摩擦係数を有する材料によって形成されている。
【００３４】
また、ヘッド１は、移動制限手段４０を有している。この移動制限手段４０は、前記ボール部材１８から離れることによって前記第１の非作動位置を規定する前記締め付け部材２６の移動において、この締め付け部材２６に当接可能である。
【００３５】
このために、前記移動制限手段４０は、前記ノブ３０とカップ型構造体２７との間に設けられた当接部材４１を有している。好ましくは、この当接部材４１は、前記カップ型構造体２７と類似した形状を有しており、従って、前記カップ型構造体２７を収容して、このカップ型構造体２７を、この部材４１内に、前記ボール部材１８に接離する軸方向の動きで案内する。この形状の類似性は別として、前記当接部材４１とカップ型構造体２７との間の接続は、これら２つの部材間での相対的な回転を防ぐピン４２によって為されている。
【００３６】
前記当接部材４１は、この中間領域で、前記制御ピン２８のねじ付きシャンクがねじによって係合されるねじ孔４３を有している。
【００３７】
好ましくは、前記当接部材４１は、リングナット４４によって軸方向Ｙに移動可能であり、このリングナット４４は、前記胴体３にねじによって係合され、前記当接部材４１から延びているフランジ４５に対して、この両端のうちの一方に、装着されている。前記当接部材４１と胴体３との相対的な回転は、ピン４６によって防がれている。しかしながら、このピン４６は、前記フランジ４５に形成されている方向Ｙに長いシート４７内に収容されており、この結果、前記胴体３に対する前記当接部材４１の制限された軸方向の移動を可能にする。
【００３８】
また、前記リングナット４４は、セットねじ４８によって、軸Ｙを中心とした相対的な自由回転が可能であるように、前記ノブ３０に留められている。このセットねじ４８は、前記リングナット４４と当接部材４１との間に設けられるように、前記ノブ３０から軸方向に延びているカラー３０ａの周方向にある溝４９中に係合されている。また、好ましくは、シーリングリング５０が、前記当接部材４１とカラー３０ａとの間に配置されている。
【００３９】
好ましくは、前記リングナット４４は、前記ノブ３０とカラー３０ａとの間に形成された肩部内に収容されている。
【００４０】
本発明の変形例では、前記移動制限手段は、軸Ｙに沿って前記ノブ３０にねじによって係合され前記制御ピン２８のヘッド２９に当接することが可能なねじを有している。
【００４１】
前記胴体３に対する前記接続プレート４は、前記締め付け部材２６を、前記第１の非作動位置に、即ち、前記ボール部材１８から離れた位置に移動させることによって、位置付けが果たされる。
【００４２】
この構造では、前記継ぎ手５があることによって、使用者は、前記接続プレート４を前記胴体３に対して容易に移動させることができる。このときの克服されるべき抵抗は、前記スライド３６とボール部材１８との間の摩擦によって前記摩擦手段３５により加えられる制動作用のみである。
【００４３】
所望の調整が為されると、前記継ぎ手５は、前記ノブ３０により前記ロック部材２５に作用することによって、所定の位置にロックされる。
【００４４】
前記リングナット４４と本体３とに対する自由な前記ノブ３０の回転によって、前記制御ピン２８が回転し、前記制御ピン２８は、前記当接部材４１に形成された孔４３中に螺合され、軸Ｙに沿った前記ボール部材１８の方向へ移動する。
【００４５】
前記制御ピン２８の軸方向の移動は、前記カップ型構造体２７の前記ボール部材１８への同様の移動を生じさせる。この移動は、これに対して固定の位置に留まっている前記当接部材４１内に案内され、前記皿ばねワッシャ３７を圧縮し、かくして前記スライド３６により前記ボール部材１８に加えられる制動作用を大きくする。
【００４６】
前記カップ型構造体２７が前記ボール部材１８と当接すると（第２の作動位置）、前記継ぎ手５は、所定位置にロックされる。外側から見える部材は、この工程の間、軸方向の移動をしないことが判る。
【００４７】
前記継ぎ手５は、ノブ３０を反対方向に回転させて、かくして前記制御ピン２８を移動させ、前記皿ばねワッシャ３７によって付勢されている前記カップ型構造体２７を、前記ボール部材１８から離すことによって、解放される。
【００４８】
前記カップ型構造体２７が前記ボール部材１８から離れるとすぐに、前記キャビティ１７内でのボール部材１８の自由な移動は、前記スライド３６によって好ましくは制動され、このスライド３６は、この位置で、最大の摩擦を生じさせる。前記ノブ３０が徐々に回転されるのに従って、前記カップ型構造体２７の前記ボール部材１８からの距離が延びて、前記スライド３６によって前記ボール部材１８に発生される摩擦を減じ、かくして前記ボール部材１８は、使用者によって容易に移動させられ得る。
【００４９】
このようにして、ヘッド１によって支持されている機器の突然の望ましくない落下が、防がれる。
【００５０】
前記カップ型構造体２７の移動は、エンドストップとして作用して前記第１の非作動位置を規定する当接部材４１によって停止される。
【００５１】
好ましくは、前記当接部材４１の軸方向の位置は、前記リングナット４４を回転させることによって調節され得る。実際、このリングナット４４の回転によって、ねじにより前記胴体３と係合しているこのリングナット４４は、軸方向に移動する。この結果、このリングナット４４の前記フランジ４５への推進力によって、前記当接部材４１もまた軸方向に移動する。前記当接部材４１の軸方向の位置を適切に調節することによって、前記継ぎ手５への摩擦を、所望の最小レベルにセットすることができる。
【００５２】
また、前記セットねじ４８の溝４９中への係合によって、前記ノブ３０は、前記リングナット４４によって軸方向に沿って引かれ、かくして前記ノブ３０とリングナット４４との間の連続した当接を維持する。
【００５３】
本発明に従って構成された支持ヘッドの第２の実施形態は、図６及び図７に示されている。この支持ヘッドは、図６および図７では、１００により全体が示されている。前述の実施形態に示されているヘッドに類似した部材には、同じ参照符号が付されている。
【００５４】
ヘッド１００は、当接部材４１が方向Ｙに移動できないという点でヘッド１と異なる。代わりに、当接部材４１は、胴体３に対して固定の軸方向の位置で、カップ型部材２７から周方向に延びているフランジ２７ａに、胴体３に螺合されセットねじ１０２が留められたリングナット１０１によって、しっかりと保持されている。
【００５５】
前記リングナット１０１は、ノブ３０のカラー３０ａに装着されている。前記ノブ３０は、前記胴体３から滑り落ちないように、前記カラー３０ａの溝に挿入されている弾性（シーガータイプ）のロックリングによって留められており、また、前記リングナット１０１全体に渡って取着されている。
【００５６】
また、ヘッド１００の移動制限手段が、固定された当接部材４１に加えて停止ピン１０４を有している。この停止ピン１０４は、前記ノブ３０に方向Ｙにねじによって係合されており、また停止ピン１０４は、制御ピン２８が前記球形のボール部材１８から離れる方向に移動すると、この制御ピン２８のヘッド２９に、軸方向に当接することができる。
【００５７】
前記停止ピン１０４の軸方向の位置は、前記ノブ３０の胴体に対して適切に突出しているピンのヘッド１０５を直に回転させて、この停止ピン１０４を前記ノブ３０に螺合させることによって、調整され得る。
【００５８】
このヘッド１００の作用は、前述の実施形態に示されているヘッド１の作用とほぼ類似している。ここでの違いは、前記ボール部材１８のスライド３６によって与えられる摩擦の最小レベルが、前記停止ピン１０４の位置付けによって調整されるのであり、前記当接部材４１の駆動によって調整されるのではないということである。これに対して、前記当接部材４１は、前記停止ピン１０４がゆるい場合あるいは完全に外される場合に、前記締め付け部材の軸方向の移動に対して、好ましくは最終的なエンドストップとして機能する。
【００５９】
また、前記支持ヘッド１００は、製造費用が比較的安いという点で、ヘッド１と異なる。
【００６０】
図８及び図９は、本発明に係る支持ヘッドの第３の実施形態を示している。ヘッドは、２００によって全体が示されており、前述のヘッドの実施形態に示されているものと類似する構成部材には、同じ参照符号が付されている。
【００６１】
このヘッド２００は、摩擦手段の摩擦の最小レベルが調整可能ではないという点で、ヘッド１及びヘッド１００と異なる。
【００６２】
このヘッド２００では、当接部材４１が、胴体３に形成された環状の溝中に係合された弾性リング２０１によって、前記胴体３に対して所定位置に保持されている。この弾性リング２０１は、カップ型構造体２７のフランジ２７ａに前記当接部材４１を保持させている。
【００６３】
更に、弾性手段が、皿ばねワッシャである代わりに、比較的安価なばねワッシャ２０２の形態であり、制御ピン２８が、ノブ３０にねじによって固定されている。この場合、前記ノブ３０の回転によって、同様にノブ３０の軸方向の移動が生じる。
【００６４】
ヘッド２００の製造は、前述の実施形態に示されているヘッドの製造より比較的単純且つ安価である。
【００６５】
かくして、本発明は、引用された公知の技術に係る前述の問題を解決し、同時に、摩擦作用と継ぎ手のロックとの両方を調整する制御を備えた非常に小型で調整可能な支持ヘッドを設けるという効果を含めて、多くの効果を提供する。さらに、このオプションを提供する実施形態では、特別な装置が必要無く、摩擦の最小レベルの調整が容易に為される。
【００６６】
更なる効果は、摩擦手段とロック手段とが別々であることであり、このことによって、球形のボール部材と当接するために最も適切な材料を、それぞれに選ぶことが可能となる。
【図１】
2010529509.tif 000003
【図２】
2010529509.tif 000004
【図３】
2010529509.tif 000005
【図４】
2010529509.tif 000006
【図５】
2010529509.tif 000007
【図６】
2010529509.tif 000008
【図７】
2010529509.tif 000009
【図８】
2010529509.tif 000010
【図９】
2010529509.tif 000011
【国際調査報告】
2010529509.tif 000012
2010529509.tif 000013
2010529509.tif 000014